(57)【要約】      （修正有）【課題】紙箱を開封した後に全ての収納部に物品が収納されていたかを容易にチェックすることが可能な仕切り付き紙箱を提供する。【解決手段】  中仕切り７２により形成される収納部に投入されるバイアル瓶Ｖの投入口と、投入されて所定の位置に収納されたバイアル瓶Ｖの底部が到達する収納部の最奥部との間に、チェッカーを配置してなる。チェッカーは、バイアル瓶Ｖの底部により破断される破断部８６を有し、開封後に破断部８６が破断されているかどうかにより、最初からバイアル瓶Ｖが収納されていたかどうかを容易に確認することができる。【選択図】図４
0003138530.tif 000002
【実用新案登録請求の範囲】
【請求項１】
複数の物品を収納でき、中仕切りにより構成される複数の収納部に個々の物品をそれぞれ収納する仕切り付き紙箱において、
収納部に投入される物品の投入口と、投入されて所定の位置に収納された物品の先端部が到達する収納部の最奥部との間に、物品の先端部により破断されるチェッカーを配置したことを特徴とする仕切り付き紙箱。
【請求項２】
チェッカーは紙製である請求項１に記載の仕切り付き紙箱。
【請求項３】
物品はバイアル瓶であり、破断後のチェッカーは少なくとも一部が収納部に収納されたバイアル瓶の外周と略一致する形状となるように構成されている請求項１又は２に記載の仕切り付き紙箱。
【考案の詳細な説明】
【技術分野】
【０００１】
本考案は中仕切りにより構成された複数の収納部を有する仕切り付き紙箱に関し、特に紙箱を開封した後に全ての収納部に物品が収納されていたかを容易にチェックすることが可能な紙箱に関する。
【背景技術】
【０００２】
一つの紙箱に複数の物品を収納する場合、瓶などの破損しやすい物品は中仕切りにより構成された収納部にそれぞれ収納されて、物品が相互に衝突して破損することがないように固定される仕切り付き紙箱が利用されている。
【０００３】
各収納部にそれぞれ物品が収納されているかどうかをチェックする方法としては、例えば平成１０年特許公開第２１８１６６号に開示されているように、透視穴を設けて紙箱内部を視認できるようにするのが最も簡易な方法である。しかしながら、特に収納する物品が薬液を入れたバイアル瓶のような医薬品である場合、薬事法による改ざん・抜き取り防止のための密封性・密閉性に関する規制や品質維持・劣化防止の要求に応えるために、透視穴のようなものを紙箱に設けることはできない。医薬品が決まった個数収納されていたかどうかのチェックは、投与量を把握して正確な投薬による的確な医療行為を遂行する上で重要である。
【０００４】
【特許文献１】平成１０年特許公開第２１８１６６号公報
【考案の開示】
【考案が解決しようとする課題】
【０００５】
よって本考案の目的は、紙箱を開封した後に全ての収納部に物品が収納されていたかを容易にチェックすることが可能な紙箱を提供することにある。
【課題を解決するための手段】
【０００６】
上記目的を達成するために本考案は、複数の物品を収納でき、中仕切りにより構成される複数の収納部に個々の物品をそれぞれ収納する仕切り付き紙箱において、収納部に投入される物品の投入口と、投入されて所定の位置に収納された物品の先端部が到達する収納部の最奥部との間に、物品の先端部により破断されるチェッカーを配置して仕切り付き紙箱を構成した。
【０００７】
本考案に係る仕切り付き紙箱においては、収納部に投入される物品の投入口と、投入されて所定の位置に収納された物品の先端部が到達する収納部の最奥部との間に、物品の先端部により破断されるチェッカーが配置してある。物品を投入し、物品を収納部の所定の位置に収納されるまで物品を移動させると、物品の先端部がチェッカーを破断する。よって、仕切り付き紙箱を開封後、チェッカーが破断されているかどうかにより、最初から物品が収納されていたかいなかったかを知ることができる。
【０００８】
チェッカーは紙製とし、仕切り付き紙箱と一体に製造すれば、紙箱製造作業や収納作業上の効率が高い。また物品が瓶、特に薬液が入ったバイアル瓶の場合、破断後のチェッカーは少なくとも一部が収納部に収納されたバイアル瓶の外周と略一致する形状となるように構成すると、破断後のチェッカーは中仕切りや紙箱の側壁と協働して、バイアル瓶同士が衝突することを防止する緩衝作用を奏することになる。
【考案の効果】
【０００９】
以上のように、本考案に係る仕切り付き紙箱によると、チェッカーが破断されているかどうかを確認することにより、最初から物品が収納されていたかどうかを開封後に知ることができる。
【考案を実施するための最良の形態】
【００１０】
以下、図面を参照しつつ本考案に係る仕切り付き紙箱の実施の形態について詳細に説明する。なお、以下の説明は考案をより深く理解するためのものであって、実用新案登録請求の範囲を限定するためのものではない。
【００１１】
図１は、本考案に係る仕切り付き紙箱の実施の形態を示す展開図であり、図２〜５はそれぞれ同じ実施の形態が組み立てられた状態の平面図、正面図、正面図のＩＶ−ＩＶ断面図及び斜視図である。図３及び５では一部の部材が切り欠かれて示してある。
【００１２】
同図において、薬液入りのバイアル瓶Vを５本収納できる仕切り付き紙箱は、一枚のブランクシートを打ち抜いてなり、前側板１０、後側板２０、右端板３０、左端板４０、蓋板５０及び底板６０からなる六面体が外面となる。
【００１３】
前側板１０の上側には仕切り板７０が接続され、下側にはチェッカー８０が接続されている。仕切り板７０は、前側板１０との境界を１８０°山折りして折り返され、４枚の中仕切り７２を立てて接着片７４を後側板２０に接着して組み立てられると、紙箱内に中仕切り７２及び右端板３０、左端板４０により５つの収納部が形成される。
【００１４】
チェッカー８０は、前側板１０との境界近くの基部８２と、基部８２に接続された４つの緩衝部８４及び５つの破断部８６とからなる。基部８２は前側板１０との境界を１８０°山折りして折り返し、緩衝部８４及び破断部８６が基部８２との境界を谷折りすると、図４、５によく示されているように、各収納部内に前側板１０から底板６０に達する斜面が形成される。緩衝部８４と破断部８６との間には切れ目が設けられているが、先縁８８近くは切れ目が途切れて相互に繋がっている。破断部８６には、図１視横方向にミシン目が設けられており、容易に破断するようになっている。緩衝部８４の破断部８６との間の切れ目は、破断部８６のミシン目が破断して緩衝部８４が破断部８６と離反したときに、図２によく示されているようにバイアル瓶Vの外周面と緩衝部８４のバイアル瓶Vと接する縁とが一致する形状になるように形成されている。これにより、バイアル瓶V同士が衝突して破損することを防止できる。なお本実施の形態においてはチェッカー８０は紙箱と一体に一枚のブランクシートから製造することができ、紙箱製造作業や収納作業上の効率が高い。
【００１５】
右端板３０、左端板４０、蓋板５０及び底板６０には、それぞれフラップ３２、４２、５２及び６２が接続され、右端板３０には左端板４０に接着するための接着片３４が接続されている。前側板１０の上部にはミシン目で囲まれた開封部１２が設けられており、その裏側に該当する部分の仕切り板７０には切欠７６が形成されている。
【００１６】
次に本実施の形態の作用について説明する。
【００１７】
紙箱は図２〜５に示したように、蓋板５０以外が接着片３４、７２を接着し、フラップ３２、４２、６２を組み合わせることにより蓋板５０以外の５面が形成された状態になる。バイアル瓶Vは蓋板５０が開放されている上方の投入口から投入される。
【００１８】
図２に示すように、収納部に投入されたバイアル瓶Vの、移動する先端部に当たる底部は、収納部内を進んでいくと、チェッカー８０の破断部８６に突き当たる。この図４（１）の状態では、バイアル瓶Vの頭が飛び出しているので蓋板５０を閉じることができない。さらにバイアル瓶Vを進めると、図４（２）のように破断部８６のミシン目が破断し、破断部８６を突き破って、バイアル瓶Vの底部が底板６０に達する（但し間に破断部８６の緩衝部８４に繋がっている部分が挟まっている）。破断部８６の基部８２に繋がっている部分はバイアル瓶Vの側方に残っている。この状態でバイアル瓶Vは所定の位置に収納され、蓋板５０を閉めることができる。
【００１９】
５本のバイアル瓶Vが所定の位置に収納されたら、蓋板５０が閉められて、収納作業が終了する。開封部１２を破って蓋板５０を開け、各バイアル瓶Vを紙箱から取り出すと、チェッカー８０の破断部８６のミシン目は破れている。しかしながら、もしも破断部８６が破断していなければ、バイアル瓶Vがその収納部に最初から収納されていなかったことが容易に確認できる。
【００２０】
以上、本考案の実施例について説明したが、本考案は上記実施例に限定されるものではなく、本考案の要旨の範囲内において、適宜変形実施が可能であることは言うまでもない。
【図面の簡単な説明】
【００２１】
【図１】図１は、本考案に係る仕切り付き紙箱の実施の形態を示す展開図である。
【図２】図２は、図１の仕切り付き紙箱が蓋板以外組み上がった状態を示す平面図である。
【図３】図３は、図２の仕切り付き紙箱を、内部構造が判るように前側板１０等を一部切り欠いて示す正面図である。
【図４】図４（１）（２）は、それぞれ図３のＩＶ−ＩＶ断面図である。
【図５】図５は、図２の仕切り付き紙箱を、内部構造が判るように前側板１０等を一部切り欠いて示す斜視図である。
【符号の説明】
【００２２】
１０  前側板
２０  後側板
３０  右端板
４０  左端板
５０  蓋板
６０  底板
７０  仕切り板
７２  中仕切り
８０  チェッカー
８４  緩衝部
８６  破断部
【図１】
0003138530.tif 000003
【図２】
0003138530.tif 000004
【図３】
0003138530.tif 000005
【図４】
0003138530.tif 000006
【図５】
0003138530.tif 000007